(57)【要約】【課題】使用済みの内視鏡を洗浄、或いは消毒するための薬剤を容易に正確に自動計量できる構成を簡単なものとして、コストを低減した内視鏡洗浄消毒装置を実現すること。【解決手段】本発明の内視鏡洗浄消毒装置１は、内視鏡２０を洗浄消毒するための洗浄槽５と、該洗浄槽に設けられ、上記内視鏡を洗浄消毒する過程で希釈使用される薬剤の原液が供給される計量部６と、該計量部に設けられ、所定の希釈濃度に適した上記薬剤の原液の所定の量を検知する薬剤検知部３２，３３と、を備えたことを特徴とする。【選択図】  図２
2008142420.tif 000002
【特許請求の範囲】
【請求項１】
内視鏡を洗浄消毒するための洗浄槽と、
該洗浄槽に設けられ、上記内視鏡を洗浄消毒する過程で希釈使用される薬剤の原液が供給される計量部と、
該計量部に設けられ、所定の希釈濃度に適した上記薬剤の原液の所定の量を検知する薬剤検知部と、
を備えたことを特徴とする内視鏡洗浄消毒装置。
【請求項２】
上記洗浄槽に設けられ、上記所定の量に計量された上記薬液の原液を上記所定の希釈濃度となるように該洗浄槽に供給された希釈液の量を検知する希釈液検知部を備えたことを特徴とする請求項１に記載の内視鏡洗浄消毒装置。
【請求項３】
上記薬剤の原液を上記計量部に供給するための排出口は、上記内視鏡が設置される位置よりも鉛直下方側に設けられていることを特徴とする請求項１、又は請求項２に記載の内視鏡洗浄消毒装置。
【請求項４】
上記薬剤の原液が上記希釈液により希釈された薬液を上記洗浄槽に循環させるための循環口は、上記内視鏡が設置される位置よりも鉛直下方側に設けられていることを特徴とする請求項１から請求項３の何れか１項に記載の内視鏡洗浄消毒装置。
【請求項５】
上記計量部は、上記洗浄槽の底面部に設けられた凹部であることを特徴とする請求項１から請求項４の何れか１項に記載の内視鏡洗浄消毒装置。
【請求項６】
上記凹部には、複数の異なる上記薬剤の原液を夫々に規定された希釈濃度に応じて計量できるように、該規定された希釈濃度に適した該異なる薬剤の原液の夫々の所定の量を検知する上記薬剤検知部が複数設けられていることを特徴とする請求項５に記載の内視鏡洗浄消毒装置。
【発明の詳細な説明】
【技術分野】
【０００１】
本発明は、使用済みの内視鏡を洗浄、及び消毒し、特に、希釈される洗浄剤、及び消毒薬の原液を簡単な構成で容易に計量できる内視鏡洗浄消毒装置に関する。
【背景技術】
【０００２】
体腔内の検査や治療の目的に使用される内視鏡は、体腔内に挿入される挿入部の外表面などに粘膜、血液などの体液、及び汚物が付着する。そのため、使用済みの内視鏡は、充分に洗浄、消毒する必要がある。
【０００３】
このように使用済みの内視鏡を洗浄消毒する装置には種々のものがある。例えば、特許文献１には、消毒液タンク内に供給する希釈液供給手段を有し、消毒液タンク内に原液が規定の量だけ注入されたことを検知する第１のレベルセンサと、消毒液タンク内に注入した希釈液によって原液が希釈されてなる消毒液に量を検知する第２のレベルセンサとを具備する内視鏡洗浄消毒装置が開示されている。
【０００４】
また、例えば、特許文献２には、原液の消毒液が注入可能な消毒液タンクと、消毒液タンクに希釈液を供給する構成を有する内視鏡洗浄消毒装置が開示されている。
【特許文献１】特開２０００−２８７９２４号公報
【特許文献２】特開２００２−０８５３５０号公報
【発明の開示】
【発明が解決しようとする課題】
【０００５】
しかしながら、このような、従来の内視鏡洗浄消毒装置において、使用する薬剤の計量と希釈は、原液の被洗浄消毒物へのアタック性の強さから別のタンクを設け、薬剤を所定の濃度に希釈しなければならない。そのため、従来の内視鏡洗浄消毒装置では、装置内の管路構成も複雑となるばかりでなく、各種電磁弁、流量センサなどの構成が必要となり、コスト高となる問題がある。
【０００６】
よって、本発明は上述した問題に鑑みてなされたものであり、使用済みの内視鏡を洗浄、或いは消毒するための薬剤を容易に正確に自動計量できる構成を簡単なものとして、コストを低減した内視鏡洗浄消毒装置を提供することを目的にしている。
【課題を解決するための手段】
【０００７】
本発明の内視鏡洗浄消毒装置は、内視鏡を洗浄消毒するための洗浄槽と、該洗浄槽に設けられ、上記内視鏡を洗浄消毒する過程で希釈使用される薬剤の原液が供給される計量部と、該計量部に設けられ、所定の希釈濃度に適した上記薬剤の原液の所定の量を検知する薬剤検知部と、を備えたことを特徴とする。
【発明の効果】
【０００８】
本発明によれば、使用済みの内視鏡を洗浄、或いは消毒するための薬剤を容易に正確に自動計量できる構成を簡単なものとして、コストを低減した内視鏡洗浄消毒装置を実現することができる。
【発明を実施するための最良の形態】
【０００９】
以下、図面を参照して、本発明の内視鏡洗浄消毒装置に係る実施の形態について説明する。  
（第１の実施の形態）
図１、及び図２は本発明の第１の実施形態に係り、図１はトップカバーが開いた状態の内視鏡洗浄消毒装置の構成を説明する斜視図、図２は概略的に内視鏡洗浄消毒装置の装置内の管路構成、及び構成要素を示す図である。
【００１０】
図１に示すように本実施形態の内視鏡洗浄消毒装置１は、装置本体３と、トップカバー４と備えている。装置本体３の上部には、所定の深さを備えた槽部である洗浄槽５が備えられている。装置本体３の正面には、各種入力操作、及び文字などの表示が可能な操作パネル８が設けられている。
【００１１】
トップカバー４は、硬質で光透過性を有する樹脂部材、いわゆる透明樹脂部材若しくは半透明樹脂部材で所定形状に形成されている。このトップカバー４は、洗浄槽５の所定位置で、洗浄槽５の開口に対して開閉自在に設けられている。従って、ユーザは、洗浄槽５の開口をトップカバー４で閉塞した状態において、このトップカバー４を通して洗浄槽５内の目視観察が可能である。
【００１２】
洗浄槽５には、洗浄消毒対象物である使用済みの内視鏡２０が載置される保持網７が設置される。この洗浄槽５の底面部には、消毒薬原液、及び洗浄剤原液を所定に計量するための計量凹部６が設けられている。
【００１３】
また、装置本体３は、洗面側に扉部９，１０が設けられている。これら扉部９，１０の装置本体３内には、消毒薬原液を貯留する消毒薬タンク１１、及び洗浄剤原液を貯留する洗浄剤タンク１２が設けられている。すなわち、ユーザは、各扉部９，１０の開けることにより、各タンク１１，１２に貯留する消毒薬、或いは洗浄剤を補充することができる。
【００１４】
なお、本実施形態の内視鏡洗浄消毒装置１では、内視鏡２０の他に、内視鏡２０の各種構成部品類や、開口部を有する処置具やオーバーチューブ等の医療器具が洗浄消毒可能である。その際、これら各医療器具などは、専用の保持網７に収納され、洗浄消毒される。
【００１５】
次に、図２に基づいて、内視鏡洗浄消毒装置１の構成について、さらに詳しく説明する。  
図２に示すように、洗浄槽５には、水道栓４５からの水道水が流入する給水管路４８が連結されている。この給水管路４８には、水フィルタ４６、及び給水電磁弁４７が介装されている。
【００１６】
洗浄槽５の底面に設けられた計量部である計量凹部６は、消毒薬原液、及び洗浄剤原液を計量するための２つの計量凹部１５、１６から構成されている。これら計量凹部１５，１６のうち、洗浄剤原液のみを計量するための第１の計量凹部１５が鉛直下方側に設けられている。この第１の計量凹部１５の底面部には、洗浄槽５内の液体を排出、或いは循環させるための排水口１８が設けられている。
【００１７】
また、第１の計量凹部１５の鉛直上方側には、第１の計量凹部１５の容積と共に、消毒薬原液を計量する第２の計量凹部１６が設けられている。これら第１、及び第２の計量凹部１５，１６は、洗浄槽５の底面部に共通の開口部を有している。
【００１８】
これら洗浄槽５、第１の計量凹部１５、及び第２の計量凹部１６には、希釈液である希釈水、消毒薬原液、及び洗浄剤を計量するための複数の水位センサ３１〜３４が所定の位置に設けられている。
【００１９】
最も鉛直下方側となる第１の計量凹部１５の壁部には、底面部にある排水口１８近傍にグランド用水位センサ３１と、上方の所定の位置に薬剤検知部である第１の水位センサ３２が設けられている。また、第２の計量凹部１６の壁部には、洗浄槽５の底面部近傍に薬剤検知部である第２の水位センサ３３が設けられている。そして、洗浄槽５の壁部には、鉛直上方側のトップカバー４の近傍に希釈液検知部である第３の水位センサ３４が設けられている。
【００２０】
尚、本実施の形態のような内視鏡洗浄消毒装置１において、消毒薬と洗浄剤とでは、希釈率が異なる。一般には、洗浄剤は、消毒薬に比して、希釈率（希釈濃度）が小さい。そのため、洗浄剤を計量する第１の計量凹部１５が第２の計量凹部１６よりも鉛直下方に設けられ、さらに、洗浄剤原液を計量する容積を小さくするため、底面積が小さく設定されている。すなわち、第１の計量凹部１５は、所定の濃度に希釈するため洗浄剤が所定の原液量を計量できる容積が設定されている。
【００２１】
また、消毒薬原液は、第１の計量凹部１５と第２の計量凹部１６との容積の和が所定の濃度に希釈するための所定の量となる。そのため、第２の計量凹部１６も消毒薬原液を第１の計量凹部１５との和が所定の原液量を計量できる容積が設定されている。
【００２２】
尚、第１の計量凹部１５と第２の計量凹部１６からなる計量凹部６は、洗浄槽５の底面積に対して、小さい開口部、及び底面積を有している。これにより、計量凹部６の容積と、各水位センサ３１〜３３により計量する希釈前の洗浄剤原液、或いは消毒薬原液が少量であっても、各水位センサ３１〜３３により精度良く検知できるような構成となっている。
【００２３】
そして、洗浄槽５は、これら各計量凹部１５，１６に注入される洗浄剤、及び消毒薬を夫々規定された所定の濃度に希釈するための希釈水の量を充分に貯留できるだけの容積が設定されている。
【００２４】
さらに、洗浄剤原液、及び消毒薬原液を各計量凹部１５，１６の容積に基づいて、所定の量を正確に計量するために、各計量凹部１５，１６の壁部に配設される第１、第２の水位センサ３２，３３の設置位置が規定されている。また、洗浄槽５の容積に基づいて、計量された洗浄剤原液、或いは消毒薬原液を所定の濃度に希釈するために必要な希釈水の水量を正確に計量するために、洗浄槽５の壁部に配設される第３の水位センサ３４の設置位置が規定されている。
【００２５】
本実施の形態の内視鏡洗浄消毒装置１の装置本体３内には、図１に示した消毒薬タンク１１、及び洗浄剤タンク１２の他に、各種管路構成、各種装置などが設けられている。  
詳しくは、装置本体３内には、排水口１８の排出側となる２次側に設けられた電磁弁１９と、この電磁弁１９に一端が接続された排水管路３８と、が設けられている。この排水管路３８は、他端から洗浄槽５内の液体を外部へ排出するためのドレインを構成している。
【００２６】
排水管路３８の中途には、３方切替電磁弁３６が介装されている。この３方切替電磁弁３６には、循環管路３７の一端が接続されている。尚、ここでは、排水管路３８は、以下の説明では、３方切替電磁弁３６よりも洗浄槽５側を排水管路３８ａとして、外部への排水側を排水管路３８ｂとして記載する場合がある。
【００２７】
この循環管路３７の中途には、循環ポンプ３５が介装されている。また、循環管路３７の他端は、洗浄槽５に接続され、その他端の循環口３７ａが洗浄槽５に配置されている。尚、循環管路３７の循環口３７ａは、保持網７が洗浄槽５に載置された状態において、この保持網７上に設置された使用済みの内視鏡２０の設置位置よりも鉛直下方側となる位置の洗浄槽５の壁面に配置されている。
【００２８】
洗浄剤原液が貯留されている洗浄剤タンク１２には、一端の開口部である洗浄剤排出口２６ａが第１の計量凹部１５の壁面に配置された洗浄剤管路２６の他端が接続されている。この洗浄剤管路２６には、洗浄剤ポンプ２４、及び電磁弁２５が介装されている。また、洗浄剤タンク１２には、洗浄剤原液の乾燥防止、及び洗浄剤原液を補充するための開口部を塞ぐ蓋部１４が設けられている。
【００２９】
一方、消毒薬原液が貯留されている消毒薬タンク１１には、一端の開口部である消毒薬排出口２３ａが第２の計量凹部の壁面に配置された消毒薬管路２３の他端が接続されている。この消毒薬管路２３には、薬液ポンプ２１、及び電磁弁２２が介装されている。また、消毒薬タンク１１には、消毒薬原液の乾燥防止、及び消毒薬原液を補充するための開口部を塞ぐ蓋部１３が設けられている。
【００３０】
また、装置本体３内には、制御装置４０が設けられている。この制御装置４０は、各ポンプ２１，２４，３５、及び各電磁弁１９，２１，２４，３６，４７を駆動制御する。また、第１の計量凹部１５、第２の計量凹部１６、及び洗浄槽５に設けられている各水位センサ３１〜３４は、制御装置４０へ通信線を介して検出信号を出力する。
【００３１】
すなわち、制御装置４０は、各水位センサ３１〜３４から出力された検出信号が入力され、これら各検出信号に基づいて、各ポンプ２１，２４，３５、及び各電磁弁１９，２１，２４，３６，４７を駆動制御する。
【００３２】
尚、トップカバー４には、洗浄槽５内の消毒液などによる刺激臭を防臭する防臭フィルタ４３が配設されている。
【００３３】
次に、以上のように構成された、本実施の形態の内視鏡洗浄消毒装置１を用いて、使用済みの内視鏡２０を洗浄消毒する動作について説明する。
【００３４】
ユーザは、先ず、保持網７を洗浄槽５に設置して、使用済みの内視鏡２０を保持網７の上に載せる。尚、ユーザは、使用済みの内視鏡２０を予め載せた保持網７を洗浄槽５に設置しても良い。
【００３５】
そして、ユーザは、トップカバー４を洗浄槽５の開口部を塞ぐため閉じる。そして、ユーザは、装置本体３の前面にある操作パネル８（図１参照）の図示しないスタートスイッチを押す。すると、内視鏡洗浄消毒装置１は、所定のプログラムの基、使用済みの内視鏡２０を洗浄消毒する工程を実行する。
【００３６】
先ず、内視鏡洗浄消毒装置１は、制御装置４０の制御により、給水電磁弁４７を開き、水フィルタ４６により不純物などが除去された水道水である濯ぎ水を洗浄槽５内に給水する。しばらくして、濯ぎ水が洗浄槽５に設けられた第３の水位センサ３４のレベルまで給水されると、第３の水位センサ３４から検出信号が制御装置４０に出力される。
【００３７】
そして、第３の水位センサ３４からの検出信号が入力された制御装置４０は、給水電磁弁４７を閉じる制御を行い、給水を停止する。このとき、制御装置４０は、排水口１８下にある電磁弁１９を開くと共に、循環ポンプ３５を駆動させる制御を行う。尚、この状態において、排水管路３８に設けられた３方切替電磁弁３６は、循環管路３７と排水管路３８ａが連通した切り替え状態となっている。
【００３８】
こうして、洗浄槽５に貯留された水道水が濯ぎ水となって、循環管路３７を通って、循環口３７ａから洗浄槽５内に流入することで、装置本体３内、及び洗浄槽５内を循環して内視鏡２０の濯ぎ工程が行われる。制御装置４０は、設定されている所定の時間で循環ポンプ３５を駆動させ、濯ぎ水による内視鏡２０の濯ぎ工程を実行させる。
【００３９】
この濯ぎ工程の設定時間が経過したとき、制御装置４０は、循環ポンプ３５を停止制御し、３方切替電磁弁３６を排水側へ切替制御して、洗浄槽５内の濯ぎ水を排水口１８から排水管路３８を介して外部へ排水する。尚、この濯ぎ水は、ここでは自重により、排水管路３８へ流れ込むものであるが、この濯ぎ水を排出するため、排水管路３８に排水用の吸引ポンプを設けても良い。
【００４０】
次に、制御装置４０は、電磁弁１９を閉じる制御を行う。そして、制御装置４０は、洗浄剤管路２６に介装された電磁弁２５を開くと共に、洗浄剤ポンプ２４を駆動する制御を行う。すると、洗浄剤タンク１２内から洗浄剤原液が洗浄剤管路２６を介して、洗浄剤排出口２６ａから第１の計量凹部１５内に供給される。
【００４１】
この洗浄剤原液が第１の水位センサ３２のレベルまで第１の計量凹部１５内に供給されると、第１の水位センサ３２から検出信号が制御装置４０に出力される。
【００４２】
そして、第１の水位センサ３２からの検出信号が入力された制御装置４０は、洗浄剤ポンプ２４を停止すると共に、電磁弁２５を閉じる制御を行う。こうして、洗浄剤原液は、設定された所定量のみが第１の計量凹部１５に供給される。このとき、洗浄剤原液は、洗浄剤排出口２６ａが第１の計量凹部１５の壁面に設けられているため、内視鏡２０へ直接に触れることが防止される。
【００４３】
次に、制御装置４０は、給水電磁弁４７を開く制御を行い、水フィルタ４６により不純物などが除去された水道水である希釈水を洗浄槽５内に給水する。このときにおいても、希釈水が洗浄槽５に設けられた第３の水位センサ３４のレベルまで給水されると、第３の水位センサ３４が検知し、制御装置４０が給水電磁弁４７を閉じて給水を停止する。こうして、上述した第１の計量凹部１５に供給された洗浄剤原液を設定された濃度に希釈するための所定量の希釈水が洗浄槽５内に供給され、所定の濃度の洗浄水が生成される。
【００４４】
その後、制御装置４０は、３方切替電磁弁３６を循環管路３７側へ切り替えると共に、上述した、濯ぎ工程と同様にして、循環ポンプ３５、及び電磁弁１９を制御する。従って、生成された所定濃度の洗浄水が装置本体３内、及び洗浄槽５内を循環して、内視鏡２０の洗浄工程が行われる。
【００４５】
また、循環管路３７の循環口３７ａが内視鏡２０が載置されている保持網７よりも下方に設けられているため、完全に希釈されていない高濃度の洗浄水が直接に内視鏡２０へと可能な限り触れることが防止される。
【００４６】
制御装置４０は、設定されている所定の時間で循環ポンプ３５を駆動させ、洗浄水による内視鏡２０の洗浄工程を実行させ、この設定時間が経過したとき、循環ポンプ３５を停止制御し、３方切替電磁弁３６を排水側へ切替制御して、洗浄槽５内の洗浄水を排水口１８から排水管路３８を介して外部へ排水する。この洗浄工程を終了した後、内視鏡洗浄消毒装置１は、再度、上述の内視鏡２０の濯ぎ工程を設定された所定の時間で実行し、実行後に濯ぎ水を排出する。
【００４７】
この濯ぎ工程が終了すると、次に、制御装置４０は、電磁弁１９を閉じる制御を行う。そして、制御装置４０は、消毒薬管路２３に介装された電磁弁２２を開くと共に、薬液ポンプ２１を駆動する制御を行う。すると、消毒薬タンク１１内から消毒薬原液が消毒薬管路２３を介して、消毒薬排出口２３ａから第１の計量凹部１５、及び第２の計量凹部１６内に供給される。
【００４８】
この消毒薬原液が第２の計量凹部１６に設けられた第２の水位センサ３３のレベルまで第１の計量凹部１５、及び第２の計量凹部１６内に供給されると、第２の水位センサ３３から検出信号が制御装置４０に出力される。
【００４９】
そして、第２の水位センサ３３からの検出信号が入力された制御装置４０は、薬液ポンプ２１を停止すると共に、電磁弁２２を閉じる制御を行う。こうして、消毒薬原液は、設定された所定量のみが第１の計量凹部１５、及び第２の計量凹部１６に供給される。つまり、第２の水位センサ３３により検知された水位における第１の計量凹部１５と第２の計量凹部１６の容積の和が消毒薬原液の設定された所定量となる。ここでも、消毒薬原液は、消毒薬排出口２３ａが第２の計量凹部１６の壁面に設けられているため、内視鏡２０へ直接に触れることが防止される。
【００５０】
次に、制御装置４０は、給水電磁弁４７を開く制御を行い、水フィルタ４６により不純物などが除去された水道水である希釈水を洗浄槽５内に給水する。このときにおいても、希釈水が洗浄槽５に設けられた第３の水位センサ３４のレベルまで給水されると、第３の水位センサ３４が検知し、制御装置４０が給水電磁弁４７を閉じて給水を停止する。こうして、上述した第１の計量凹部１５、及び第２の計量凹部１６に供給された消毒薬原液を設定された濃度に希釈するための所定量の希釈水が洗浄槽５内に供給され、所定の濃度の消毒水が生成される。
【００５１】
その後、制御装置４０は、３方切替電磁弁３６を循環管路３７側へ切り替えると共に、上述した、濯ぎ工程、及び洗浄工程と同様にして、循環ポンプ３５、及び電磁弁１９を制御する。従って、生成された所定濃度の消毒水が装置本体３内、及び洗浄槽５内を循環して、内視鏡２０の消毒工程が行われる。このときにおいても、循環管路３７の循環口３７ａが内視鏡２０が載置されている保持網７よりも下方に設けられているため、完全に希釈されていない高濃度の消毒水が直接に内視鏡２０へと可能な限り触れることを防止される。
【００５２】
制御装置４０は、設定されている所定の時間で循環ポンプ３５を駆動させ、消毒水による内視鏡２０の消毒工程を実行させ、この設定時間が経過したとき、循環ポンプ３５を停止制御し、３方切替電磁弁３６を排水側へ切替制御して、洗浄槽５内の消毒水を排水口１８から排水管路３８を介して外部へ排水する。この消毒工程を終了した後、内視鏡洗浄消毒装置１は、再度、上述の内視鏡２０を濯ぐ濯ぎ工程を設定された所定の時間で実行し、実行後に濯ぎ水を排出する。そして、本実施の形態の内視鏡洗浄消毒装置１は、使用済みの内視鏡２０の洗浄消毒を終了する。
【００５３】
以上説明したように、本実施の形態の内視鏡洗浄消毒装置１は、使用済みの内視鏡２０を各種工程により自動で洗浄消毒する際、洗浄剤原液、或いは消毒薬原液の設定された所定量を洗浄槽５に設けられた第１の計量凹部１５、及び第２の計量凹部１６からなる計量凹部６の容積と、第１の水位センサ３２、及び第２の水位センサ３３とによって、正確に計量できると共に、これら洗浄剤原液、或いは消毒薬原液を希釈する希釈水の設定された所定量を洗浄槽５の容積と、第３の水位センサ３３によって正確に計量することができる。
【００５４】
また、本実施の形態の内視鏡洗浄消毒装置１は、高価な流量センサではなく、比較的安価な水位センサ３１〜３４を採用し、洗浄槽５に計量凹部６を設けたという非常に簡単な構成とすることができるため、装置自体を安価に製造することができる。
【００５５】
さらに、本実施の形態の内視鏡洗浄消毒装置１は、洗浄剤原液、或いは消毒薬原液が直接に内視鏡２０に触れることなく洗浄槽５内へ供給することができると共に、希釈の初期に発生する規定濃度よりも高濃度の洗浄水、或いは消毒水をできるだけ直接に触れることを防止した構成である。そのため、洗浄消毒される内視鏡２０は、各薬剤の原液、或いは規定濃度以上の液体による化学反応などによって生じる損傷、劣化などの影響が防止される。
【００５６】
尚、本実施の形態の内視鏡洗浄消毒装置１は、各工程の実行時に第１、及び第２の水位センサ３２，３３により、洗浄剤原液、或いは消毒薬原液の検知がなされなかった場合に、制御装置４０により警告を行う制御を設けることで、各タンク１１，１２内の洗浄剤原液、或いは消毒薬原液の薬剤が不足しているかをユーザに報知する構成を有していても良い。
【００５７】
このとき、ユーザは、装置本体３の前面に配された扉部９，１０を開けて、不足する何れかのタンク１１，１２の蓋部１３，１４を外して、対応した薬剤を各タンクに補充することができる。これにより、各工程を一時ストップするが、引き続き継続して内視鏡２０の洗浄消毒が行える。
【００５８】
（第２の実施の形態）
次に、本発明の第２の実施の形態について説明する。尚、本実施の形態の説明において、上述の第１の実施の形態と同じ構成については、同じ符号を用いて、それら構成の詳細な説明を省略するものとする。
【００５９】
図３は、本発明の第２の実施の形態に係り、概略的に内視鏡洗浄消毒装置の装置内の管路構成、及び構成要素を示す図である。
【００６０】
本実施の形態の内視鏡洗浄消毒装置１は、２種類の薬剤の原液を混合した消毒薬を使用するタイプである。この２種類の薬剤は、１剤が例えば、過酢酸製剤であり、２剤が例えば、緩衝化剤であり、これら１剤と２剤を混和したものから消毒薬原液を生成するものである。
【００６１】
本実施の形態の内視鏡洗浄消毒装置１は、装置本体３内に、図３に示すように、１剤を貯留する第１の薬液タンク５１と、２剤を貯留する第２の薬液タンク５２と、が設けられている。これらのタンク５１，５２にも、薬剤の乾燥防止、及び薬剤を補充するための開口部を塞ぐ蓋部５３，５４が夫々設けられており、第１の実施の形態と同様に、装置本体３の前面に配設された扉部９，１０を開けることで、蓋部５３，５４を外して薬剤を補充することができる。
【００６２】
第１の薬液タンク５１には、一端の開口部である１剤排出口６３ａが第１の計量凹部１５の壁面に配置された１剤薬液管路６３の他端が接続されている。この１剤薬液管路６３には、ポンプ６１、及び電磁弁６２が介装されている。また、第２の薬液タンク５２には、一端の開口部である２剤排出口６６ａが第２の計量凹部１６の壁面に配置された２剤薬液管路６６の他端が接続されている。この２剤薬液管路６６には、ポンプ６４、及び電磁弁６５が介装されている。
【００６３】
また、第１の計量凹部１５、及び第２の計量凹部１６は、第１、第２の検知センサ３２，３３が検知して計量する薬剤の規定された所定量を供給可能な容積が設定されている。尚、本実施の形態の内視鏡洗浄消毒装置１は、その他の構成に関しては、第１の実施の形態と同じである。
【００６４】
このように構成された本実施の形態の内視鏡洗浄消毒装置１は、消毒工程のとき、以下に説明する動作を行う。  
使用済みの内視鏡２０を消毒する消毒工程において、制御装置４０は、１剤薬液管路６３に介装された電磁弁６２を開くと共に、ポンプ６２を駆動する制御を行う。すると、第１の薬液タンク５１内から、ここでは過酢酸製剤である１剤が１剤薬液管路６３を介して、１剤排出口６３ａから第１の計量凹部１５内に供給される。
【００６５】
この１剤が第１の計量凹部１５に設けられた第１の水位センサ３２のレベルまで第１の計量凹部１５内に供給されると、第１の水位センサ３２から検出信号が制御装置４０に出力される。
【００６６】
そして、第１の水位センサ３２からの検出信号が入力された制御装置４０は、ポンプ６１を停止すると共に、電磁弁６２を閉じる制御を行う。こうして、１剤は、設定された所定量のみが第１の計量凹部１５に供給される。つまり、第１の水位センサ３２により検知された水位における第１の計量凹部１５の容積が１剤の設定された所定量となる。尚、ここでも、１剤は、１剤排出口６３ａが第１の計量凹部１５の壁面に設けられているため、内視鏡２０へ直接に触れることが防止される。
【００６７】
次に、制御装置４０は、２剤薬液管路６６に介装された電磁弁６５を開くと共に、ポンプ６４を駆動する制御を行う。すると、第２の薬液タンク５２内から、ここでは緩衝化剤である２剤が２剤薬液管路６６を介して、２剤排出口６６ａから第２の計量凹部１６内に供給される。このとき、既に、第１の計量凹部１５内に供給されている１剤と混和しながら２剤が第２の計量凹部１６へ供給される。
【００６８】
この２剤（１剤と混和した２剤）が第２の計量凹部１６に設けられた第２の水位センサ３３のレベルまで第２の計量凹部１６内に供給されると、第２の水位センサ３３から検出信号が制御装置４０に出力される。
【００６９】
そして、第２の水位センサ３３からの検出信号が入力された制御装置４０は、ポンプ６４を停止すると共に、電磁弁６５を閉じる制御を行う。こうして、２剤は、設定された所定量のみが第１の計量凹部１５に上方にある第２の計量凹部１６に供給される。つまり、第１の水位センサ３２により検知された１剤の水位から第２の水位センサ３３により検知された１剤に混和した２剤からなる消毒薬原液の水位における第２の計量凹部１６の容積が２剤の設定された所定量となる。尚、ここでも、２剤は、２剤排出口６６ａが第２の計量凹部１６の壁面に設けられているため、内視鏡２０へ直接に触れることが防止される。
【００７０】
次に、制御装置４０は、給水電磁弁４７を開く制御を行い、水フィルタ４６により不純物などが除去された水道水である希釈水を洗浄槽５内に給水する。このときにおいても、希釈水が洗浄槽５に設けられた第３の水位センサ３４のレベルまで給水されると、第３の水位センサ３４が検知し、制御装置４０が給水電磁弁４７を閉じて給水を停止する。こうして、上述した第１の計量凹部１５、及び第２の計量凹部１６に供給された１剤、及び２剤が混和した消毒薬原液を設定された濃度に希釈するための所定量の希釈水が洗浄槽５内に供給され、所定の濃度の消毒水が生成される。
【００７１】
そして、制御装置４０は、設定されている所定の時間で循環ポンプ３５を駆動させ、消毒水による内視鏡２０の消毒工程を実行させ、この設定時間が経過したとき、循環ポンプ３５を停止制御し、３方切替電磁弁３６を排水側へ切替制御して、洗浄槽５内の消毒水を排水口１８から排水管路３８を介して外部へ排水する。こうして、本実施の形態の内視鏡洗浄消毒装置１は、消毒工程を終了する。
【００７２】
このように、本実施の形態では、第１の実施の形態の効果に加え、２種類の薬剤の原液を混合した消毒薬を使用する内視鏡洗浄消毒装置１では、１剤と、２剤を時系列で別々に供給するため、第１の薬液タンク５１内の１剤、或いは第２の薬液タンク５２の２剤のどちらかが計量凹部６へ供給時に規定された所定量を満たさなかった場合に、ユーザはどちらの薬剤が不足しているかを容易に判断することができ、不足している薬剤をタンク５１，５２内に補充することで、内視鏡洗浄消毒装置１による内視鏡２０の消毒工程を継続することができる。
【００７３】
（第３の実施の形態）
次に、本発明の第３の実施の形態について説明する。尚、本実施の形態の説明においては、上述の第１、及び第２の実施の形態と同じ構成については、同じ符号を用いて、それら構成の詳細な説明を省略するものとする。
【００７４】
尚、本実施の形態は、第２の実施の形態での２種類の薬剤の原液を混合した消毒薬を使用する内視鏡洗浄消毒装置１に、第１の実施の形態での洗浄工程を行うために必要な構成を付加した構成である。また、図４は、本発明の第３の実施の形態に係り、概略的に内視鏡洗浄消毒装置の装置内の管路構成、及び構成要素を示す図である。
【００７５】
本実施の形態の内視鏡洗浄消毒装置１は、計量凹部６が３つの計量凹部１５ａ，１５，１６から構成されている。最も鉛直下方に位置する計量凹部１５ａの壁部には、その上方にある計量凹部（第１の計量凹部）１５との境界部近傍に水位センサ３２ａが設けられている。この水位センサ３２ａは、洗浄剤原液を計量凹部１５ａの容積に基づいて検知するためのものである。
【００７６】
また、本実施の形態の洗浄剤管路２６の洗浄剤排出口２６ａは、計量凹部１５ａの壁面に配置されている。その他の構成においては、第１、及び第２の実施の形態と同じである。
【００７７】
尚、本実施の形態では、消毒工程において、第１の薬液タンク５１内から供給される１剤は、検知センサ（第１の検知センサ）３２の検出位置に対応した位置における供給量となる２つの計量凹部１５ａ，１５の容積の和が規定された所定量となる。
【００７８】
また、本実施の形態の内視鏡洗浄消毒装置１による使用済みの内視鏡２０の洗浄消毒動作は、上述した、第１、第２の実施の形態の各種工程と同様であるため、それらの説明を省略する。
【００７９】
このように構成することで、本実施の形態の内視鏡洗浄消毒装置１は、２種類の薬剤の原液を混合した消毒薬を使用するタイプであっても、洗浄工程、及び消毒工程を自動で行うことができる。
【００８０】
以上の各実施の形態に記載した発明は、夫々の実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【００８１】
例えば、各実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００８２】
【図１】本発明の第１の実施形態に係り、トップカバーが開いた状態の内視鏡洗浄消毒装置の構成を説明する斜視図。
【図２】同、概略的に内視鏡洗浄消毒装置の装置内の管路構成、及び構成要素を示す図。
【図３】本発明の第２の実施形態に係り、概略的に内視鏡洗浄消毒装置の装置内の管路構成、及び構成要素を示す図。
【図４】本発明の第３の実施形態に係り、概略的に内視鏡洗浄消毒装置の装置内の管路構成、及び構成要素を示す図。
【符号の説明】
【００８３】
１・・・内視鏡洗浄消毒装置
３・・・装置本体
４・・・トップカバー
５・・・洗浄槽
６・・・計量凹部
７・・・保持網
１１・・・消毒薬タンク
１２・・・洗浄剤タンク
１５・・・第１の計量凹部
１６・・・第２の計量凹部
２０・・・内視鏡
２３・・・消毒薬管路
２３ａ・・・消毒薬排出口
２６・・・洗浄剤管路
２６ａ・・・洗浄剤排出口
３１，３２，３２ａ，３３，３４・・・水位センサ
３７・・・循環管路
３７ａ・・・循環口
４０・・・制御装置
４５・・・水道栓
５１・・・第１の薬液タンク
５２・・・第２の薬液タンク
【図１】
2008142420.tif 000003
【図２】
2008142420.tif 000004
【図３】
2008142420.tif 000005
【図４】
2008142420.tif 000006